(57)【要約】【課題】回転式のズームレバーを回転操作してある所定の角度以上に回転させた際に、通常速度領域から高速度領域に入った瞬間の感触を分かりやすくし、撮影者が所望の撮影画角で容易に焦点距離変更動作を止め易くする変速ズームレバーを提供すること。【解決手段】回転式ズームレバーを回転操作してある所定の角度以上に回転させた際に、通常の動作速度より速度を上げてより早くズーム操作可能としているカメラで、該ズームレバーと一体回転するよう構成されたズームレバー保持部材に一体に形成された外歯車と、該外歯車とは別体で、該外歯車と噛み合うフリクションを備えた歯車とを備え、かつ、前記ズ−ムレバ−と一体に形成された歯車は、ズ−ムレバ−が所定角度内の通常速度のズ−ム領域内では前記フリクションを備えた歯車とは噛み合わず、ズ−ムレバ−が所定角度範囲外の領域では、前記フリクションを備えた歯車と噛み合うよう構成された所謂セクタ歯車であることを特徴とする。【選択図】図１
2016206363.tif 000002
【特許請求の範囲】
【請求項１】
回転式ズームレバーを回転操作してある所定の角度以上に回転させた際に、通常の動作速度より速度を上げてより早くズーム操作可能としているカメラで、該ズームレバーと一体回転するよう構成されたズームレバー保持部材に一体に形成された外歯車と、該外歯車とは別体で、該外歯車と噛み合うフリクションを備えた歯車とを備え、かつ、前記ズームレバーと一体に形成された歯車は、ズームレバーが所定角度内の通常速度のズ−ム領域内では前記フリクションを備えた歯車とは噛み合わず、ズームレバーが所定角度範囲外の領域では、前記フリクションを備えた歯車と噛み合うよう構成された所謂セクタ歯車であることを特徴とする変速ズームレバー。
【請求項２】
回転式ズームレバーを回転操作してある所定の角度以上に回転させた際に、通常の動作速度より速度を上げてより早くズーム操作可能としているカメラで、該ズームレバーと一体に形成された外歯車と、該外歯車と噛み合い、該外歯車の回転中心を軸に公転動作する、フリクションを備えた遊星歯車と、該遊星歯車と噛み合う内歯車を一体に構成されたカメラの外観部品を構成する外観部材とを備え、
かつ、外観部材と一体に構成された内歯車は、ズームレバーが所定角度内の通常速度のズーム領域内では、フリクションを備えた遊星歯車の公転中には噛み合わず、ズームレバーが所定角度範囲外の領域では、前記フリクションを備えた歯車と噛み合うよう構成された所謂セクタ歯車であることを特徴とする変速ズームレバー。
【請求項３】
前記フリクションを備えた遊星歯車の公転中に、ズームレバーが所定角度内の通常速度のズ−ム領域内から所定角度範囲外の領域に入る手前で、外観部材と一体に構成された内歯車と同一形状の歯車形状を成し、一定の力を受けたときに遊星歯車の公転回転中心から退避するよう構成されたガイドを備えたことを特徴とする請求項２に記載の変速ズームレバー。
【請求項４】
歯車にフリクションを与える部材は、前記ズームレバーの復帰動作時に復帰力を付加するためのバネまたはズームレバー自身が当接することで復帰時に生じる音を消す弾性部材を兼ねることを特徴とする請求項１又は請求項２に記載の変速ズームレバー。
【請求項５】
前記ズームレバーの復帰力を付加するトーションバネの待機用の軸と、フリクションを付与する歯車の取り付けられた軸とが同一であることを特徴とする請求項１又は請求項４に記載の変速ズームレバー。
【発明の詳細な説明】
【技術分野】
【０００１】
高倍率のレンズを搭載したデジタルカメラにおいて、回転式のズームレバーを回転操作してある所定の角度以上に回転させた際に、速度を上げてより早くズーム操作を可能としているものがある。本発明は、該変速領域をユーザーに分かりやすくするものである。
【背景技術】
【０００２】
高倍率のレンズを搭載したデジタルカメラでは、ズーム領域のレンズ移動を早く行わせたい場面が多々ある。このため、回転式のズームレバーを回転操作してある所定の角度以上に回転させた際に、通常の動作速度より速度を上げてより早くズーム操作可能としているものがある。
【０００３】
特許文献１には、基板上に検知部を配置し、回転角度によりズーム速度を変速する技術が開示されている。
【先行技術文献】
【特許文献】
【０００４】
【特許文献１】特開２０１３−０４２２０５号公報
【発明の概要】
【発明が解決しようとする課題】
【０００５】
然しながら、先行技術文献で開示した特許文献１の発明では、ズーム速度の変局点が操作者には分からないため、ズームレバーを大きく回転させてしまい、所望の撮影画角で止めることが困難になるという課題があった。
【０００６】
本発明は、回転式のズームレバーを回転操作してある所定の角度以上に回転させた際に、通常速度領域から高速度領域に入った瞬間の感触を分かりやすくし、撮影者が所望の撮影画角で容易に焦点距離変更動作を止め易くすることを目的とする。
【課題を解決するための手段】
【０００７】
上記の目的を達成するために、本発明は、回転式ズームレバーを回転操作してある所定の角度以上に回転させた際に、通常の動作速度より速度を上げてより早くズーム操作可能としているカメラで、該ズームレバーと一体に回転するズ−ムホルダに一体に形成された外歯車と、該外歯車と噛み合うフリクションを備えた歯車とを備え、かつ、前記ズームレバー保持部材と一体に形成された歯車は、ズームレバーが所定角度内の通常速度のズーム領域内では前記フリクションを備えた歯車とは噛み合わず、ズームレバーが所定角度範囲外の領域では、前記フリクションを備えた歯車と噛み合うよう構成された所謂セクタ歯車であることを特徴とする。
【０００８】
また、別の構成として、前記ズームレバーと一体に回転するズ−ムホルダに一体に形成された外歯車と該外歯車と噛み合うフリクションを備えた遊星歯車と、該遊星歯車を前記外歯車の周囲を公転可能に保持した遊星ホルダと、外観を構成する外観カバーと一体に形成された内歯車とを備え、前記遊星歯車は、ズームレバーが所定角度内の通常速度のズーム領域内では前記内歯車とは噛み合わず、ズームレバーが所定角度範囲外の領域では、前記内歯車と噛み合うよう構成された前記内歯車の所謂セクタ歯車間を公転可能に構成されたことを特徴とする。
【０００９】
更に、前記公転可能に構成された遊星歯車が、ズームレバーが所定角度内の通常速度のズーム領域内から所定角度範囲外の領域に移行する間に、前記内歯車と略同形状の進退可能な歯車形状を経由して噛み合うことを特徴とする。
【発明の効果】
【００１０】
本発明の変速ズームレバーによれば、回転式のズームレバーを回転操作してある所定の角度以上に回転させた際に、通常速度領域から高速度領域に入った瞬間の感触を分かりやすくし、撮影者が所望の撮影画角で容易に焦点距離変更動作を止め易くすることが可能となる。
【図面の簡単な説明】
【００１１】
【図１】本発明の第一の実施例を示したカメラのズームレバー周辺の主要構成部品が組み付けられた上面カバーユニットの裏面図
【図２】本発明の第一の実施例を示したカメラのズームレバーとフリクションを備えた歯車の斜視図
【図３】本発明を実施したカメラの外観斜視図
【図４】本発明の第二の実施例を示したカメラのズームレバー周辺の主要構成部品が組み付けられた上面カバーユニットの裏面図
【図５】本発明の第二の実施例を示したカメラのズームレバー周辺の図４の主要構成部品が組み付けられた上面カバーユニットのＡ−Ａ断面図
【図６】本発明の第二の実施例に用いる、遊星ギヤガイドの斜視図
【発明を実施するための形態】
【００１２】
以下、本発明を実施するための形態を図面に基づいて説明する。
【実施例１】
【００１３】
図１および図２は本発明を実施したカメラのズ−ム機構を表す図である。図１は本発明を実施したカメラのズームレバー周辺の主要構成部品が組み付けられた上面カバーユニットの裏面図である。図２は、本発明を実施したカメラのズームレバーとフリクションを備えた歯車の斜視図である。図３は本発明を実施したカメラの外観斜視図である。図１および図２および図３において、同じ番号を付記したものは同じ部材を表している。
【００１４】
図１および図２および図３において、１は、カメラ１０の上面カバー２５に回転可能に保持されたズームレバー６の内部で該ズームレバー６に固着され一体に回転するズームレバー保持部材である。ズームレバー保持部材１には公知のセクタ歯車１ａが一体に形成されている。
【００１５】
２は、公知の外歯車である。
【００１６】
３は、公知のトーションスプリングである。図では足が複数本（３ａ、３ｂ、３ｃ、３ｄ）記載されているが、各々が組み付け初期位置およびズーム動作中を表している。３ａ、および３ｃは、組み付け初期状態および中立位置を表している。前記ズームレバー６を回転せると、前記ズームレバー６の回転方向に応じて３ａから３ｂの位置、または、３ｃから３ｄの位置に足が移動する。
【００１７】
４は、公知のゴム部材であるフリクションゴムであり、円筒形状をしている。
【００１８】
５は、公知のブラシであり前記ズームレバー保持部材１に固着され、ズームレバー６の回転に応じて一緒に回転する。
【００１９】
前記ブラシ５の対向する位置には、不図示のフレキシブル配線基板のパタ−ン開口部が形成されており、該フレキシブル配線基板は、不図示の中央処理装置であるＣＰＵと電気的に接続している。ブラシ５の回転角度に応じて、ズ−ム速度が通常か高速の切り替えが可能となっている。１０は本発明を実施したカメラである。
【００２０】
撮影者がカメラの不図示の液晶等の画像確認手段で画像を確認しながら、前記ズームレバー６を左右に回転させると、その回転操作に応じてズームレバー保持部材１およびブラシ５も一緒に回転を始める。
【００２１】
ブラシ５の当接する不図示のフレキシブル配線基板上のパターンのうち、所定角度を通過したときにのみ接触するように配置しているパターンにブラシ５が接触すると、不図示の中央処理装置であるＣＰＵからの指令により、不図示の鏡筒ユニットの駆動用モータの電圧を上げる。このため、通常ズーム速度より早い速度で鏡筒が動き始める。
【００２２】
これと同時にズームレバー保持部材と一体に形成されたセクタ外歯歯車も回転するが、普通速度領域では歯車２とは噛み合わないため、撮影者は別段意識せずにズームレバー６を操作している。更に回転角度を増やしていくと、前記ズームレバー保持部材と一体に形成されたセクタ外歯歯車が歯車２と噛み合い始める。歯車２には、回転軸上に円筒状のフリクションゴムが不図示の押さえ板との間で、歯車２と圧接している。
【００２３】
このため、歯車２の回転はフリクションゴムの摩擦力により回転を規制されている。撮影者はこの感触の違いにより、高速度ズ−ム領域に入っていることを認識することができる。
【００２４】
撮影者がズーム動作中にズームレバーから手を離すと、トーションスプリング３の中央付勢力によりズームレバー６は中立位置に止まり、ズ−ム動作も終了する。このときト−ションスプリング３は、３ｂから３ａの位置、または、３ｄの位置から３ｃの位置に戻りつつ、前記フリクションゴム４に当接するため、はじき音が吸収され、動画中の音録音においても異音を録音せずに済むことができる。
【００２５】
以上説明したように、本発明によれば、回転式のズームレバーを回転操作してある所定の角度以上に回転させた際に、通常速度領域から高速度領域に入った瞬間の感触を分かりやすくし、撮影者が所望の撮影画角で容易に焦点距離変更動作を止め易くすることが可能となる。
【実施例２】
【００２６】
図４および図５および図６は本発明の第２の実施例を示したカメラのズーム機構を表す図である。図４は本発明の第２実施例を示したカメラのズームレバー周辺の主要構成部品が組み付けられた上面カバーユニットの裏面図である。図５は図４のＡ−Ａ断面図である。図６は本発明の第２の実施例を示したカメラの遊星ギヤガイドの斜視図である。図４および図５および図６において、同じ番号を付記したものは同じ部材を表している。更に、図１および図２および図３と同じ番号を付記したものは同じ部材を表している。
【００２７】
図４および図５および図６において、１は、カメラ１０の上面カバー２５に回転可能に保持されたズームレバー１６の内部で該ズームレバー１６に固着され一体に回転するズームレバー保持部材である。ズームレバー１６には外歯車１６ａが一体に形成されている。上面カバー２５には内歯車２５ａおよび２５ｂが一体に形成されている。
【００２８】
１２は、公知の外歯車である遊星歯車である。２２は遊星ギヤホルダである。２３は遊星ギヤ軸である。遊星歯車１２は、前記外歯車１６ａを太陽ギヤとして該外歯車１６ａの周囲を回転可能に保持されている。前記遊星ギヤホルダは前記外歯車１６ａの回転を許容し、かつ前記遊星ギヤの公転も許容するようにズームレバー１６に遊嵌している。
【００２９】
前記遊星ギヤは、該遊星ギヤホルダ２２に前記遊星ギヤ軸２３によりかしめられている。
【００３０】
２４は、遊星フリクションスプリングであり、公知の圧縮スプリングである。該遊星フリクションスプリングは、前記遊星ギヤ１２と、遊星ギヤホルダ２２との間で摺動し、前記遊星ギヤ１２の自転力を抑止している。遊星ギヤ１２は、上面カバー２５と一体に形成された内歯車２５ａおよび２５ｂに噛み合うよう構成されている。
【００３１】
２１は、遊星ギヤガイドである。該遊星ギヤガイドは、前記内歯車２５ａおよび２５ｂと略同一形状の曲げ部２１ａおよび２１ｂを備える。該曲げ部２１ａおよび２１ｂは、前記遊星ギヤ１２が公転した場合に、前記遊星フリクションスプリング２４のフリクション力により、遊星ギヤ１２と曲げ部２１ａおよび２１ｂとの噛み合いに不整合が生じた場合に、遊星ギヤ１２の公転中心より外側に変形退避し、該噛み合いを修正する。
３は、前記実施例１と同じ、公知のトーションスプリングである。
【００３２】
４は、公知のゴム部材であるフリクションゴムであり、円筒形状をしている。
【００３３】
５は、公知のブラシであり前記ズームレバー保持部材１に固着され、ズームレバー６の回転に応じて一緒に回転する。
【００３４】
撮影者がカメラの不図示の液晶等の画像確認手段で画像を確認しながら、前記ズームレバー１６を左右に回転させると、その回転操作に応じてズームレバー保持部材１１およびブラシ５も一緒に回転を始める。
【００３５】
ブラシ５の当接する不図示のフレキシブル配線基板上のパターンのうち、所定角度を通過したときにのみ接触するように配置しているパターンにブラシ５が接触すると、不図示の中央処理装置であるＣＰＵからの指令により、不図示の鏡筒ユニットの駆動用モ−タの電圧を上げる。このため、通常ズーム速度より早い速度で鏡筒が動き始める。
【００３６】
これと同時にズームレバー１６と一体に形成された外歯歯車１６ａも回転する。前記遊星フリクションスプリング２４のフリクション力により、遊星ギヤ１２は公転を開始する。
【００３７】
普通速度領域では、内歯車２５ａまたは、２５ｂおよび、遊星ギヤガイド２１とは噛み合わないため、撮影者は別段意識せずにズームレバー１６を操作している。
【００３８】
回転角度を増やしていくと、遊星ギヤ１２が遊星ギヤガイド２１の曲げ部２１ａおよび２１ｂと噛み合い始める。遊星ギヤガイドは遊星ギヤの公転力を受けると、公転中心から遠ざかる方向に退避しようとするため、撮影者は意識せずにズームレバー１６を操作し続けることができる。
【００３９】
更に回転角度を増やしていくと、遊星ギヤ１２が上面カバー２５と一体に形成された内歯車２５ａおよび２５ｂに噛み合うようなる。
【００４０】
撮影者は、該ギヤ同士の噛み合いによる感触の違いにより、高速度ズーム領域に入っていることを認識することができる。撮影者が更に回転角度を増していっても、ギヤ同士は噛み合いを続けるため、手に伝わる感触に変更は無い。
【００４１】
撮影者がズーム動作中にズームレバーから手を離すと、トーションスプリング３の中央付勢力によりズームレバー６は中立位置に止まり、ズーム動作も終了する。このときトーションスプリング３は、３ｂから３ａの位置、または、３ｄの位置から３ｃの位置に戻りつつ、前記フリクションゴム４に当接するため、はじき音が吸収され、動画中の音録音においても異音を録音せずに済むことができる。
【００４２】
以上説明したように、本発明によれば、回転式のズームレバーを回転操作してある所定の角度以上に回転させた際に、通常速度領域から高速度領域に入った瞬間の感触を分かりやすくし、撮影者が所望の撮影画角で容易に焦点距離変更動作を止め易くすることが可能となる。
【符号の説明】
【００４３】
１  ズームレバー保持部材、２  歯車、３  トーションスプリング（中央付勢手段）、
４  フリクションゴム（静音ゴム）、５  ブラシ、６  ズームレバー、１０  カメラ、
１１  ズームレバー保持部材、１２  遊星歯車、１６  ズームレバー、１６ａ  外歯車、
２１  遊星ギヤガイド、２２  遊星ギヤホルダ、２３  遊星ギヤ軸、
２４  遊星フリクションスプリング、２５  上面カバー
【図１】
2016206363.tif 000003
【図２】
2016206363.tif 000004
【図３】
2016206363.tif 000005
【図４】
2016206363.tif 000006
【図５】
2016206363.tif 000007
【図６】
2016206363.tif 000008